(57)【要約】      （修正有）【課題】水溶性薬剤を無駄なく患部に確実に塗布するためのペン先のついたペン型の容器を提供する。【解決手段】ペン型の容器は、液体吸収性の軟質素材より成るペン先１と、ペン先を保持するペン先ホルダー２と、水溶性薬剤５を収容する容器本体３と、を有し、容器本体に収容された水溶性薬剤をペン先に浸透させ、ペン先の先端を皮膚に当接させることにより水溶性薬剤を皮膚に塗布する。ペン型の容器は、不使用時にペン先を保護するキャップ４を具備し、キャップは内筒４１を有し、容器本体の頭部に冠着された状態において、内筒の内面がペン先ホルダー２の外面と密着することで水溶性薬剤の蒸発を防ぐ。【選択図】図１
0003211268.tif 000002
【実用新案登録請求の範囲】
【請求項１】
水溶性薬剤を皮膚に塗布するために使用するペン型の容器であって、
液体吸収性の軟質素材より成るペン先と、
前記ペン先を保持するペン先ホルダーと、
前記水溶性薬剤を収容する容器本体と、
を有し、前記容器本体に収容された前記水溶性薬剤を前記ペン先に浸透させ、前記ペン先の先端を皮膚に当接させることにより前記水溶性薬剤を皮膚に塗布することを特徴とするペン型の容器。
【請求項２】
前記ペン型の容器は、不使用時に前記容器本体頭部に冠着され、前記ペン先を保護するキャップを具備することを特徴とする請求項１記載のペン型の容器。
【請求項３】
前記キャップは内側に内筒を有し、前記キャップが前記容器本体頭部に冠着された状態において、前記内筒の内面が前記ペン先ホルダーの外面と密着することを特徴とする請求項２記載のペン型の容器。
【考案の詳細な説明】
【技術分野】
【０００１】
本考案は、皮膚科・内科・小児科などにおける、皮膚疾患治療のために使用する水溶性の治療外用薬を患部に確実に塗布するためのペン型の容器に関する。
【背景技術】
【０００２】
従来の水溶性薬剤の塗布容器としては、比較的大きな直径を有する容器本体の先が細くなり、先端に小孔を有し、薬液を該小孔から患部に滴下し、指で塗り広げる方式のものが知られている。
【考案の概要】
【考案が解決しようとする課題】
【０００３】
前述したように、現在使用されている塗布容器は直径が大きく、十分な長さを有さす、薬液滴下方式のため、患部に確実に塗布することが困難である。とくに高齢者にとっては、頭部や足などの体の端の部分の薬剤塗布の際には、腕が上がらない、お腹があたって十分にかがめないなどの理由で細かな作業ができず、小さな患部に的確に薬液を塗布することができないでいる。また、余分な薬液を滴下することで無駄が多い。さらに、容器を下向きに傾けたりしたときに薬液がこぼれたり、頭部に塗布するときは、毛髪に多く付着してしまい、患部に薬液が届きにくい。そのため、多量に使用することとなり、頭から顔に流下して目のなかに垂れることもある。
【０００４】
一般的には、滴下後、指を使って患部に塗り広げることが多く、この場合、余分な薬液が指に付着することになる。なかには先がメッシュ状になっている容器もあるが、この種の容器は大きな面積の皮膚に塗布することを想定しており、皮膚疾患の治療を目的とした狭い範囲の患部への塗布には適さないなどの問題がある。これらの理由から、従来の容器を使用しての塗布では、適量の薬液による有効な治療効果が期待できない。
【０００５】
上述の問題を踏まえ、本考案においては、水溶性薬剤を無駄なく患部に確実に塗布するためのペン先のついたペン型の容器を提供することを課題とする。
【課題を解決するための手段】
【０００６】
上記課題を解決するために、請求項１記載のペン型の容器は、水溶性薬剤を皮膚に塗布するために使用するペン型の容器であって、液体吸収性の軟質素材より成るペン先と、前記ペン先を保持するペン先ホルダーと、前記水溶性薬剤を収容する容器本体と、を有し、前記容器本体に収容された前記水溶性薬剤を前記ペン先に浸透させ、前記ペン先の先端を皮膚に当接させることにより前記水溶性薬剤を皮膚に塗布することを特徴とする。
【０００７】
請求項２記載のペン型の容器は、不使用時に前記ペン先を保護するキャップを具備することを特徴とする。
【０００８】
請求項３記載のペン型の容器は、前記キャップは内側に内筒を有し、前記キャップが前記容器本体頭部に冠着された状態において、前記内筒の内面が前記ペン先ホルダーの外面と密着することを特徴とする。このため、前記容器本体３に収容された前記水溶性薬剤の蒸発を防ぐことができる。
【考案の効果】
【０００９】
本考案により、適量の水溶性薬剤を患部に確実に塗布することが可能となる。
【００１０】
本考案により、水溶性薬剤薬を塗布する際の薬剤の無駄がなくなる。
【００１１】
本考案により、指を汚すことなく、衛生的に水溶性薬剤を患部に確実に塗布することが可能となる。
【図面の簡単な説明】
【００１２】
【図１】本実施形態のペン型の容器の使用時の縦断面図である。
【図２】本実施形態のペン型の容器において、ペン先の塗布部の形状の作成例を示す拡大断面図である。（Ａ）丸型、（Ｂ）角型、（Ｃ）斜切型、を示す。
【図３】本実施形態のペン型の容器の不使用時の正面図である。
【図４】本実施形態のペン型の容器のキャップの斜視図である。キャップ内部の構造を透視して示してある。
【考案を実施するための形態】
【００１３】
まず、本実施形態に係るペン型の容器（以降、単に「本容器」という。）の基本構成について説明する。
【００１４】
本容器は、図１に示すように、化学繊維より成るフェルト状のペン先１と、ペン先１を保持するペン先ホルダー２と、水溶性薬剤５を収容する円筒形の容器本体３と、不使用時にペン先１を保護するキャップ４により構成される。ペン先１は、ゴム等軟質の高分子素材より成るペン先ホルダー２内に配設された内管を貫通する形で保持されている。具体的には、ペン先１のフェルト材が薬液を吸収して自膨することによりペン先ホルダー２の内管壁に対する押圧が高まる。一方、ペン先ホルダー２の内管中央部にはペン先把持部２１が内方向に向けて突設され、ペン先把持部２が自膨したペン先１の外周を把持することにより、ペン先１がペン先ホルダー２の内管内に仮固定される。
【００１５】
図1に示すように、ペン先１は、一端が薬剤吸収部１１として容器本体３内に突出し、他端が塗布部１２として外部に突出している。薬剤吸収部１１は、必要量以上の薬液を吸収することがないよう先細の円錐形状をなし、頂部近傍のみが薬剤に浸着する構成をとる。一方、塗布部１２の形状については、図３に示すように、丸型、角型、斜切型の３種類が用意され、塗布する患部によって使い分けが可能となっている。
【００１６】
従来の容器の多くが直径２センチメートル、長さ５センチメートルであるのに対し、本ペン型の容器は直径１センチメートル、長さ１０〜１５センチメートルであるため、字を書くような繊細な操作により、毛髪の間の頭皮や足の指の間などの狭いところにも確実に薬液の塗布が可能となる。
【００１７】
使用時（図１）には容器本体３の尻部に仮着するキャップ４は、不使用時には、図２に示すように、容器本体３の頭部に冠着し、ペン先１を保護する。キャップ４は、ペン先１を物理的に保護するだけではなく、ペン先１を密封する構造を有する。すなわち、図４に示すように、キャップ４の内側には、内径がペン先ホルダー２１の外径と等しくなるよう成型された内筒４１が配設されており、キャップ４が容器本体３の頭部に冠着されると、内筒４１の内壁がペン先ホルダー２の外周に密着し、薬液の蒸発を完全に防ぐ構成になっている。このため、薬液を入れたままの長期保存が可能となっている。
【００１８】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。例えば、ペン先１の材質は、液体吸収性の軟質素材であれば、フェルト材ではなく、海綿状のものを使用してもよいし、塗布部１２についても、平型や円錐形のものが考えられる。また、ペン先ホルダー２がペン先１を保持する方式についても様々なものが考えられ、これら本実施形態と異なる形の実施についても本考案の技術的範囲に含まれると解する。
【符号の説明】
【００１９】
１    ペン先
１１  薬剤吸収部
１２  塗布部
２    ペン先ホルダー
２１  ペン先把持部
３    容器本体
４    キャップ
４１  内筒
５    薬剤
【図１】
0003211268.tif 000003
【図２】
0003211268.tif 000004
【図３】
0003211268.tif 000005
【図４】
0003211268.tif 000006